(57)【特許請求の範囲】
【請求項１】
背凭れ部に設けた施療子による施療位置と、フットレストと座部とに設けた空気袋による施療位置と、をそれぞれ選択する選択ボタンを設けた施療位置操作部と、
前記背凭れ部の角度と、フットレストの角度と位置と、を各々操作する操作ボタンを設けた位置操作部と、を有し、
前記位置操作部は、椅子型マッサージ機の側面視の形態が示されており、
前記操作ボタンは、椅子型マッサージ機の側面視の形態で配置されており、
前記施療位置操作部は、椅子型マッサージ機に座った被施療者の側面視の形態が示されており、
この被施療者の側面視の形態を示す部分の内部に前記選択ボタンを配置されており、
前記施療位置操作部と前記位置操作部を上下に分けて配置していることを特徴とする椅子型マッサージ機用リモートコントロール装置。
【請求項２】
前記背凭れ部の施療子による施療位置と、前記フットレストと座部との空気袋による施療位置と、を選択するそれぞれの選択ボタンの組合わせ操作により、該施療子による施療と空気袋による施療とを組合わせた施療を選択的に行うことができるように構成した請求項１に記載の椅子型マッサージ機用リモートコントロール装置。
【請求項３】
請求項１又は請求項２に記載の椅子型マッサージ機用リモートコントロール装置を、背凭れ部と座部とフットレストとを備えた椅子型マッサージ機に備えさせ、該椅子型マッサージ機用リモートコントロール装置で、前記背凭れ部に設けた施療子と、前記フットレストと座部とに設けた空気袋とによる施療動作を選択できるように構成した椅子型マッサージ機。
【発明の詳細な説明】
【技術分野】
【０００１】
本発明は、被施療者の身体を施療する椅子型マッサージ機に用いるリモートコントロール装置と、これを備えた椅子型マッサージ機に関する。
【背景技術】
【０００２】
従来より、被施療者の身体に、もみ、たたき、指圧、ローリング等の刺激を与える椅子型マッサージ機が知られている。この椅子型マッサージ機の多くは、主として被施療者の腰、背中及び肩に対して施療子で前記刺激を与える構成や、空気袋で脹脛部や腿部、尻部等に刺激を与える構成が備えられている。
【０００３】
前記施療子は、被施療者の背中及び肩に対して刺激を与えるように、被施療者の背中の上下方向に位置変更が可能なように構成されている。この施療子は、一般的に施療子を被施療者の腰、背中に対して直交する方向から支持するアームにもみ動作やたたき動作を与えることにより、被施療者に対して種々の施療を行うマッサージ機構に設けられている。
【０００４】
このマッサージ機構に設けられる施療子としては、一般的に、被施療者の身体中心の左右両側に施療子がそれぞれ設けられ、これらの施療子を被施療者の腰から背中、肩にかけて身長方向に移動させながら被施療者の身体に、もみ、たたき、指圧、ローリング等の刺激を与えている。例えば、施療子を備えたアームがマッサージ機構の左右両側に設けられ、これらの施療子によって被施療者の身体に、もみ、たたき、指圧、ローリング等の刺激を与えて種々のマッサージを行うものがある。
【０００５】
また、前記空気袋は、被施療者の脹脛部や腿部、尻部等を押圧して刺激を与えるように、被施療者の脹脛部や腿部、尻部で膨張・収縮が可能なように構成されている。この空気袋を膨張・収縮させる構成としては、エアー供給源から供給される圧縮空気の供給・排出を制御することによって行われる。
【０００６】
このような施療子と空気袋の動作は、リモートコントロール装置の操作によって行われる。例えば、この種のリモートコントロール装置として、人体形状を模した表示部にマトリックス状に配したスイッチ群を施療子の移動範囲入力用として備えるとともに、入力した移動範囲を表示する表示手段を設けた操作器がある（例えば、特許文献１参照。）。
【０００７】
また、他のリモートコントロール装置として、人体頭部を指定する突出部をコントローラ本体の長手方向一端に設け、そのコントローラ本体の前面に、複数の操作子を人体の施療部位配置と対応する順序で長手方向に配置することにより、触覚により人体の各部位にそれぞれ対応する複数の操作ボタンを識別して操作できるようにしたものがある（例えば、特許文献２参照。）。
【０００８】
さらに、他のリモートコントロール装置として、背凭れ部に相当する第１面と、座部に相当する第２面とを有し、これら第１面及び第２面に、触覚で人体の各部位にそれぞれ対応することを識別できる複数の操作ボタンを設けたものがある（例えば、特許文献３参照。）。
【特許文献１】特開平５−１６８６６６号公報（第２，３頁、図１）
【特許文献２】特開２００３−３１０６８０号公報（第４，５頁、図３）
【特許文献３】特開２００３−３１０６８１号公報（第３〜５頁、図３，４）
【発明の開示】
【発明が解決しようとする課題】
【０００９】
しかしながら、前記特許文献１の場合、施療子の移動位置を選択するためのものであるとともに、施療子の動作を制御するための操作は複数のスイッチを選択的に操作する構成であるため、その操作は複雑であり、簡単な操作は困難である。
【００１０】
また、前記特許文献２の場合、触覚によって複数の操作子を操作しようとしているが、頭部からの配置を順に触らなければ操作位置の判断ができないとともに、複数の操作子の機能も覚えて操作しなければならないため、簡単な操作は困難である。
【００１１】
さらに、前記特許文献３の場合、複数の操作ボタンが２つの面に配置されているので、触覚で大まかな操作位置を選択することはできるが、それぞれの操作ボタンの対応する操作は記憶して操作しなければならず、この場合も簡単な操作は困難である。
【００１２】
そこで本発明は、マッサージ機の各動作を視覚で直感的に操作できるリモートコントロール装置と、それを備えたマッサージ機を提供することを目的とする。
【課題を解決するための手段】
【００１３】
前記目的を達成するために、本発明の椅子型マッサージ機用リモートコントロール装置は、背凭れ部に設けた施療子による施療位置と、フットレストと座部とに設けた空気袋による施療位置と、をそれぞれ選択する選択ボタンを設けた施療位置操作部と、前記背凭れ部の角度と、フットレストの角度と位置と、を各々操作する操作ボタンを設けた位置操作部と、を有し、前記位置操作部は、椅子型マッサージ機の側面視の形態が示されており、前記操作ボタンは、椅子型マッサージ機の側面視の形態で配置されており、前記施療位置操作部は、椅子型マッサージ機に座った被施療者の側面視の形態が示されており、この被施療者の側面視の形態を示す部分の内部に前記選択ボタンを配置されており、前記施療位置操作部と前記位置操作部を上下に分けて配置している。これにより、視覚による直感で施療箇所を容易に判断し、その箇所の選択ボタンを押すことにより任意の箇所を集中して施療することが容易に可能となる。しかも、それぞれの選択ボタンの配置が被施療者の側面視の形態となっているので、触覚による操作位置確認も可能であり、視覚と触覚とで目的箇所の施療を容易に選択することができる。また、背凭れ部の角度やフットレストの角度及び位置も視覚による直感で調節箇所を容易に判断し、その箇所の操作ボタンを押して操作することが容易にできる。
【００１５】
さらに、前記背凭れ部の施療子による施療位置と、前記フットレストと座部との空気袋による施療位置と、を選択するそれぞれの選択ボタンの組合わせ操作により、該施療子による施療と空気袋による施療とを組合わせた施療を選択的に行うことができるように構成すれば、被施療者の好みに応じた施療を選択的に行うことができる。この操作も、視覚による直感で、背凭れ部の施療箇所、フットレストと座部の施療箇所を容易に判断することができる。
【００１６】
一方、本発明の椅子型マッサージ機は、前記のいずれかの椅子型マッサージ機用リモートコントロール装置を、背凭れ部と座部とフットレストとを備えた椅子型マッサージ機に備えさせ、該椅子型マッサージ機用リモートコントロール装置で、前記背凭れ部に設けた施療子と、前記フットレストと座部とに設けた空気袋とによる施療動作を選択できるように構成している。この椅子型マッサージ機によれば、視覚的に施療位置や施療感覚を容易に選択できるので、椅子型マッサージ機の施療操作に不慣れな人でも容易に目的箇所の施療を行うことが可能となる。
【発明の効果】
【００１７】
本発明は、以上説明したような手段により、椅子型マッサージ機の各動作を視覚で直感的に操作することができ、操作が容易な椅子型マッサージ機用リモートコントロール装置とそれを備えた椅子型マッサージ機を提供することが可能となる。
【発明を実施するための最良の形態】
【００１８】
以下、本発明の一実施形態を図面に基づいて説明する。図１は、本発明の実施の形態に係るリモートコントロール装置を備えた椅子型マッサージ機の全体の構成を示す斜視図である。まず、本発明のリモートコントロール装置が用いられる椅子型マッサージ機の全体構成の一例を説明する。なお、この明細書及び特許請求の範囲の書類中では、椅子型マッサージ機１に着座した被施療者から見たときの方向を基準として前後左右を用いる。例えば、前側は着座した被施療者の前方、左側は同被施療者の左方、右側は同被施療者の右方をいう。
【００１９】
図１に示すように、この実施の形態に係る椅子型マッサージ機１は、座部２、背凭れ部３、フットレスト４（脚載置台）、及び肘掛け部５から主として構成されている。座部２は、基台１８の上部に配置されており、この基台１８は、両側に設けられた脚部１８ａで支持されている。そして、肘掛け部５の近傍にリモートコントロール装置６が設けられている。１９は、基台１８に設けられた制御装置である。
【００２０】
前記座部２の後部に設けられた背凭れ部３は、その前面視が縦長の略長方形に形成され、下端部が座部２の後部横方向に設けられた支持軸１０によって前記基台１８に支持されている。背凭れ部３は、この支持軸１０を中心に回動して、前後にリクライニングが可能なように構成されている。そして、この背凭れ部３の内部に、着座した被施療者の背中側に刺激を与えるマッサージ機構７が設けられている。
【００２１】
このマッサージ機構７は、被施療者の身体に機械的刺激を与える複数（この図では左右各１つで、合計２つ）のローラ状の施療子（施療部）８を備えている。これらの施療子８は、マッサージ機構７の前方に出るように設けられた左右のアーム９の先端にそれぞれ取り付けられている。それぞれのアーム９は、マッサージ機構７に設けられた駆動機構によって、施療子８にもみ動作及びたたき動作をさせるように構成されている。また、このアーム９には、バイブレータ１１が設けられており、このバイブレータ１１で施療子８を振動させるように構成されている。このマッサージ機構７は、背凭れ部３の上下方向に設けられたレール１２に沿って上下移動する昇降台１３に設けられている。
【００２２】
前記フットレスト４は、上端が座部２の前端下部に設けられた支持軸１４に支持され、下端が基台１８側に接近又は離間するように構成されている。これにより、フットレスト４の下端を前方に傾けて角度調節可能なように構成されている。また、このフットレスト４の下端は、支持軸１４側に移動可能なように構成されている。これにより、支持軸１４からフットレスト４の下端までの距離を調節することができるように構成されている。なお、フットレスト４の下端部には、被施療者の足裏部に振動を与えて施療する図示しないバイブレータが設けられている。
【００２３】
さらに、座部２には、腿部や尻部を押圧するように膨出するとともに収縮する空気袋１５が設けられ、フットレスト４には、脹脛部を押圧するように膨出するとともに収縮する空気袋１６と、足部を押圧するように膨出するとともに収縮する空気袋１７とがそれぞれ設けられている。これらの空気袋１５，１６，１７を設ける構成は一例であり、個数や配置はこの実施の形態に限定されるものではない。
【００２４】
図２は、本発明の一実施の形態に係る椅子型マッサージ機用リモートコントロール装置の全体の構成を示す正面図であり、図３は、同椅子型マッサージ機用リモートコントロール装置の図面であり、(a) は側面図、(b) はＡ−Ａ断面図である。この断面図は、内部構造を省略している。また、説明時に前記図１に示す構成を用いる場合には、図１の符号を付して説明する。
【００２５】
図示するように、この実施の形態のリモートコントロール装置６は、縦長の長方形状に形成され、装置本体２０の背面側の両側部に窪み２０ａを設けて、被施療者が持ちやすい形状としている。このリモートコントロール装置６の装置本体２０には、上側に、椅子型マッサージ機の背凭れ部の角度とフットレスト４の角度と位置とを各々操作する矢印状操作ボタン２１，２２，２３が設けられた位置操作部２４が配設され、下側に、前記背凭れ部３に設けられた施療子８による施療動作と前記フットレスト４と座部２とに設けた空気袋１５，１６，１７による施療動作とを選択する選択ボタン２５，２６，２７，２８，２９，３０が設けられた施療位置操作部３１が配設されている。
【００２６】
上側に配設された位置操作部２４には、椅子型マッサージ機１の側面視の形態が模式的に示されており、背凭れ部３を模式的に示す部分には、この背凭れ部をリクライニングさせる矢印状のリクライニング操作ボタン２１が設けられ、フットレスト４を模式的に示す部分には、このフットレスト４の角度を変更する矢印状のフットレスト操作ボタン２２と、このフットレスト４の先端を上下方向に移動させる矢印状のフットスライド操作ボタン２３とが設けられている。このように、各操作ボタン２１，２２，２３を、椅子型マッサージ機１の側面視の形態で配置している。リクライニング操作ボタン２１は、矢印状操作ボタン２１ａを押すと背凭れ部３が起き上がるとともにフットレスト４の下端が下がり、矢印状操作ボタン２１ｂを押すと背凭れ部３が倒れるとともにフットレスト４の下端が前方に向けて上がる。フットレスト操作ボタン２２は、矢印状操作ボタン２２ａを押すとフットレスト４の下端が前方に向けて上がり、矢印状操作ボタン２２ｂを押すとフットレスト４の下端が下がる。フットスライド操作ボタン２３は、矢印状操作ボタン２３ａを押すとフットレスト４の下端が座部２に近づき、矢印状操作ボタン２３ｂを押すとフットレスト４の下端が座部２から遠ざかるように移動する。このように、これらの操作ボタン２１，２２，２３は、それぞれ矢印方向を押すことにより、背凭れ部３、フットレスト４のそれぞれの構成が、押した方向に移動するように構成されている。
【００２７】
また、この位置操作部２４には、肩位置を調節するための肩位置調節ボタン３２が設けられている。この肩位置調節ボタン３２は、上下に２つのボタンが設けられ、上側の肩位置調節ボタン３２を押すと施療子８が上へ移動し、下側の肩位置調節ボタン３２を押すと施療子８が下へ移動するように構成されている。この肩位置調節ボタン３２の間には、調節可能な時を示すＬＥＤランプ３３が設けられている。このＬＥＤランプ３３は、調節可能な時にオレンジ色等で点灯して調節可能な時を被施療者に知らせるように構成されている。
【００２８】
そして、前記下側に配設された施療位置操作部３１には、前記選択ボタン２５〜３０が、椅子型マッサージ機１の座部２に座った被施療者の側面視の形態で配置されている。具体的には、図２に示すように、被施療者の頭を左側上部に位置させた状態で、この被施療者の肩から腰、尻と、被施療者の腿とがＬ字状に屈曲した状態で模式的に示されている。この被施療者の側面視の形態を模式的に示す部分には、肩位置に肩選択ボタン２５が、腰位置に腰選択ボタン２６が、尻位置に尻選択ボタン２７が、上側から順に配設されている。この肩選択ボタン２５を押せば予め設定された肩選択コースを、腰選択ボタン２６を押せば予め設定された腰選択コースを、尻選択ボタン２７を押せば予め設定されたお尻コースを、それぞれ選択できるように構成されている。これらの各コースは、自動コースとして、予め設定された施療プログラムが実行される。
【００２９】
また、前記被施療者の腿を模式的に示す部分に連なるように被施療者の脹脛が、逆Ｌ字状に屈曲した状態で模式的に示され、この脹脛を模式的に示す部分に連なるように被施療者の足がＬ字状に屈曲した状態で模式的に示されている。この被施療者の側面視の形態を模式的に示す部分には、腿位置には腿部選択ボタン２８が、脹脛位置には脹脛部選択ボタン２９が、足位置には足部選択ボタン３０が、上側から順に配置されている。腿位置に設けられた腿部選択ボタン２８と、脹脛位置に設けられた脹脛部選択ボタン２９と、足位置に設けられた足部選択ボタン３０とは、それぞれ「強」「中」「弱」が選択できるように構成されており、「強」「中」「弱」の選択状態を示すＬＥＤランプ２８ａ，２９ａ，３０ａが、それぞれ設けられている。この「強」「中」「弱」は、空気袋１５，１６，１７の押圧量を調節して施療部の締付量を変化させるものである。
【００３０】
これらの空気袋１５，１６，１７による押圧量の「強」「中」「弱」の調節は、選択ボタン２８（２９，３０）のそれぞれの操作によって選択的に可能となっており、被施療者の好みに応じた施療動作を選択することができるように構成されている。この強さの調節としては、例えば、選択ボタン２８（２９，３０）を押すと「中」で起動し、その後、同じ選択ボタン２８（２９，３０）を押す毎に、「強」「停止」「弱」「中」「強」・・・、と循環するように順次切り換わるような構成が採用される。この「強」「中」「弱」の選択状態は、前記ＬＥＤランプ２８ａ，２９ａ，３０ａの点灯によって示される。また、これらの空気袋１５，１６，１７による施療は、選択ボタン２８，２９，３０を同時に複数押すことによって複数箇所の施療を同時に行うようにしてもよい。さらに、選択ボタン２８，２９，３０の操作によって、これらの空気袋１５，１６，１７による施療を所定間隔で順次交互に行うようにしてもよい。
【００３１】
このように、装置本体２０の前面の上側に配設された位置操作部２４に、それぞれの位置の操作ボタン２１〜２３が、側面視の椅子型マッサージ機１の模式的な形態で配置され、下側に配設された施療位置操作部３１に、それぞれの位置の選択ボタン２５〜３０が、被施療者の側面視の形態で配置されている。
【００３２】
さらに、施療位置操作部３１に模式的に示された、被施療者の肩、腰、尻位置に設けられた肩選択ボタン２５と腰選択ボタン２６と尻選択ボタン２７とに近接する背面側（図の左側）には、これらの位置で施療する施療子８にバイブレータ１１（図１）で振動を与えるバイブレータボタン３４が設けられている。また、施療位置操作部３１に模式的に示された、被施療者の足位置に設けられた足部選択ボタン３０に近接する下側には、足裏部に振動を与えるバイブレータボタン３５が設けられている。これらのバイブレータボタン３４，３５は、その表面に凹凸模様が付されており、触感が他の選択ボタン２５〜３０と異なるように構成されている。しかも、これらのバイブレータボタン３４，３５は、「強」「弱」を選択することができるように構成されており、「強」「弱」の選択状態を示すＬＥＤランプ３４ａ，３５ａが、それぞれ設けられている。この「強」「弱」は、バイブレータ１１の振動の大きさを変化させるものである。
【００３３】
これらのバイブレータボタン３４，３５は選択的に操作可能であり、その強弱調節も選択的に可能となっており、被施療者の好みに応じた施療動作を選択することができるように構成されている。強弱調節としては、例えば、バイブレータボタン３４（３５）を押すと「弱」で起動し、その後、同じボタン３４（３５）を押す毎に、「強」「停止」「弱」「強」・・・、と循環するように順次切り換わるような構成が採用される。この「強」「中」「弱」の選択状態は、前記ＬＥＤランプ３４ａ，３５ａの点灯によって示される。
【００３４】
さらに、この施療位置操作部３１の下部には、特定の施療位置ではなく、予め設定された施療プログラムによって全身を施療する全身コース選択ボタン３６と、指圧コース選択ボタン３７とが設けられている。これらも自動コースであり、予め設定された施療プログラムが実行される。
【００３５】
また、この実施の形態では、これらの選択ボタン２５〜３０，３６，３７による施療の強弱を選択する強さ調節ボタン３８も設けられている。この強さ調節ボタン３８による強弱選択は、上側の「強」の強さ調節ボタン３８を押すと強くなり、下側の「弱」の強さ調節ボタン３８を押すと弱くなるように構成されている。この強さ調節ボタン３８は、施療中においても操作可能なように構成されている。
【００３６】
さらに、前記選択ボタン２８，２９，３０の操作による「強」「中」「弱」の選択状態を示すＬＥＤランプ２８ａ，２９ａ，３０ａの点灯状態と、前記バイプレータボタン３４，３５の操作による「強」「弱」の選択状態を示すＬＥＤランプ３４ａ，３５ａの点灯状態とを、前記各自動コースを選択している時にはオレンジ色で点灯させ、各選択ボタン２８，２９，３０，３４，３５を個別に選択している手動コース時にはグリーン色で点灯させることにより、施療しているコースの区別をＬＥＤランプの点灯色で容易に把握することができるように構成されている。
【００３７】
また、装置本体２０の上端には表示部５０が設けられ、その下側に電源ボタン３９と急停止ボタン４０とが設けられている。この表示部５０には、電源ボタン３９を入れた運転状態で各種のメッセージが表示される。例えば、電源を入れた時には、商品名「・・・メディカルチェア（登録商標）」や機種名、その他、「ただいま準備中です。」などが流れ表示される。また、前記施療位置操作部３１で選択した施療動作が表示され、自動コースであれば、選択された施療プログラムに関する説明、コース名「肩」、コメント「このコースは、首から肩にかけた部分のコリをほぐします。」などが表示される。さらに、本体制御等に通信エラーが発生したときには、初期設定をしなおすために「電源を入れなおしてください。」と流れ表示される。この表示部５０は、蛍光表示管や液晶パネルなどが使用される。
【００３８】
なお、４１はヒータボタンである。また、これらのボタン２１〜２３，２５〜３０，３２，３４〜４１の構成は、この実施の形態に限定されるものではなく、椅子型マッサージ機１の大きさや形態に応じて位置や個数を決定すればよい。
【００３９】
以上のように構成されたリモートコントロール装置６によれば、椅子型マッサージ機１の側面視の形態で操作ボタン２１〜２３がそれぞれ配置されているとともに、椅子型マッサージ機１に座った被施療者の側面視の形態で選択ボタン２５〜３０がそれぞれ配置されているので、被施療者が椅子型マッサージ機１に座ってリモートコントロール装置６を見れば、所望の施療動作を直感的に選択することが容易にでき、マッサージ機の操作に不慣れな人でも容易に目的の施療動作を選択することができる。
【００４０】
しかも、背凭れ部３の角度とフットレスト４の位置とを調節する操作ボタン２１〜２３と、施療する動作を選択する選択ボタン２５〜３０とを装置本体２０の上下に分けて配置しているので、被施療者は椅子型マッサージ機１に座った状態での姿勢調節を位置操作部２４に設けられた操作ボタン２１〜２３で行った後は、施療位置操作部３１に設けられた選択ボタン２５〜３０、又は選択ボタン３６，３７によって所望の施療を選択する操作に専念すればよく、この点でもマッサージ動作の選択を容易に行うことができる。
【００４１】
また、操作ボタン２１〜２３及び選択ボタン２５〜３０，３６，３７の操作時に、それぞれの施療箇所に応じて異なる操作音を発するようにすれば、例えば、空気袋１５，１６，１７の操作時には「シュー」というエアー音、バイブレータ１１（フットレスト４の足部）の操作時には「ブルブル」という振動音を発することで、被施療者が操作した施療動作を音で認識するようにもできる。
【００４２】
このように、前記椅子型マッサージ機用リモートコントロール装置６によれば、被施療者がリモートコントロール装置６を見れば直感的に所望の施療動作を容易に選択することができるので、マッサージ機の操作が慣れていない人や、リモートコントロール装置の操作に慣れていない人でも、容易に所望の施療動作を行わせることが可能となる。
【００４３】
なお、前記実施の形態における選択ボタンの分割例は一例であり、施療位置の分割数や空気袋の配置等は、適用する椅子型マッサージ機の仕様に合わせて決定すればよく、前記実施の形態に限定されるものではない。
【００４４】
さらに、前記実施の形態は一例を示しており、本発明の要旨を損なわない範囲での種々の変更は可能であり、本発明は前述した実施形態に限定されるものではない。
【産業上の利用可能性】
【００４５】
本発明に係る椅子型マッサージ機用リモートコントロール装置は、椅子型マッサージ機の各施療動作を視覚で直感的に選択したい椅子型マッサージ機に利用できる。
【図面の簡単な説明】
【００４６】
【図１】本発明の実施の形態に係る椅子型マッサージ機の全体の構成を示す斜視図である。
【図２】本発明の一実施の形態に係る椅子型マッサージ機用リモートコントロール装置の全体の構成を示す正面図である。
【図３】図２に示す椅子型マッサージ機用リモートコントロール装置の図面であり、(a) は側面図、(b) はＡ−Ａ断面図である。
【符号の説明】
【００４７】
１  椅子型マッサージ機
２  座部
３  背凭れ部
４  フットレスト
５  肘掛け部
６  リモートコントロール装置
７  マッサージ機構
８  施療子
９  アーム
１０  支持軸
１１  バイブレータ
１２  レール
１３  昇降台
１４  支持軸
１５，１６，１７  空気袋
１８  脚部
１９  制御装置
２０  装置本体
２１  リクライニング操作ボタン
２２  フットレスト操作ボタン
２３  フットスライド操作ボタン
２４  位置操作部
２５  肩選択ボタン
２６  腰選択ボタン
２７  尻選択ボタン
２８  腿部選択ボタン
２９  脹脛部選択ボタン
３０  足部選択ボタン
３１  施療位置操作部
３２  肩位置調節ボタン
３３  ＬＥＤランプ
３４，３５  バイブレータボタン
３６  全身コース選択ボタン
３７  指圧コース選択ボタン
３８  強さ調節ボタン
３９  電源ボタン
４０  急停止ボタン
４１  ヒータボタン
【図１】
0004481221.tif 000002
【図２】
0004481221.tif 000003
【図３】
0004481221.tif 000004